(57)【要約】【課題】ベース部材に釘受け用筒を設けることなく、取り付け金具を取り付け対象となる壁に取り付ける際の作業性をより一層改善できるようにする。【解決手段】取り付け金具は、支柱を挿入可能な中空部を有する支持部材と、壁に固定するためのねじ孔を有する板状のベース部材と、支持部材の中空部の中心軸とベース部材の板面とが平行になるよう、支持部材とベース部材とを連結するための連結部材と、を備える。ベース部材の板面には、ねじ孔として、支持部材の中空部の中心軸に平行で当該板面を２分する分割中心軸を挟んで設けられた複数対の固定用ねじ孔と、当該板面の前記分割中心軸上で当該分割中心軸の中心位置から偏心した位置に設けられた仮止め用ねじ孔とが設けられている。【選択図】図２
2018007021.tif 000002
【特許請求の範囲】
【請求項１】
支柱を壁に取り付けるための取り付け金具であって、
前記支柱を挿入可能な中空部を有する支持部材と、
前記壁に固定するためのねじ孔を有する板状のベース部材と、
前記支持部材の前記中空部の中心軸と前記ベース部材の板面とが平行になるよう、前記支持部材と前記ベース部材とを連結するための連結部材と、
を備え、
前記ベース部材の前記板面には、前記ねじ孔として、
前記支持部材の前記中空部の中心軸に平行で当該板面を２分する分割中心軸を挟んで設けられた複数対の固定用ねじ孔と、
当該板面の前記分割中心軸上で当該分割中心軸の中心位置から偏心した位置に設けられた仮止め用ねじ孔と、
が設けられている、取り付け金具。
【請求項２】
前記連結部材は、中空筒状の管形状であり、前記ベース部材に対し、管の中心軸が前記分割中心軸上に位置し且つ前記ベース部材の前記板面と直交するように設けられており、
前記仮止め用ねじ孔は、前記ベース部材において前記連結部材の中空部に対応する位置に設けられている、請求項１に記載の取り付け金具。
【請求項３】
前記仮止め用ねじ孔の形状は、前記分割中心軸の中心位置から離れた方が小径で前記分割中心軸の中心位置に近い方が大径となるように２つの孔を連結しただるま孔形状である、請求項１又は請求項２に記載の取り付け金具。
【請求項４】
前記支持部材は、中心軸方向両端側の少なくとも一方に、
前記中空部を挟んで互いに対向する側壁を貫通するように設けられ、前記中空部内で前記支柱の一端が当接される支持片を挿通するための挿通孔、
を備えている、請求項１〜請求項３の何れか１項に記載の取り付け金具。
【請求項５】
前記挿通孔に挿通される支持片は、
前記挿通孔を介して前記支持部材に貫通される本体部と、
該本体部から前記支持部材の外側に延出されて、前記支柱に取り付けられた機器に接続されるケーブルを挟持するための挟持部と、
を備えている、請求項４に記載の取り付け金具。
【発明の詳細な説明】
【技術分野】
【０００１】
本開示は、アンテナ等の支柱を建造物等の壁に取り付けるための取り付け金具に関する。
【背景技術】
【０００２】
従来、この種の取り付け金具は、支柱を挿入可能な中空部を有する支持部材と、板状のベース部材と、これらを連結するための連結部材とにより構成されている（例えば、特許文献１，２参照）。
【０００３】
連結部材は、支柱が挿入される支持部材の中空部の中心軸とベース部材の板面とが平行になるように、これら各部材を連結するためのものである。
また、ベース部材には、建造物等の壁に固定するためのねじ孔が設けられている。このため、ベース部材を、取り付け対象となる壁に当接し、ベース部材の外側からねじ孔に固定用のねじを通して、壁の孔に螺合させ、締め付けることで、取り付け金具を壁に固定することができる。
【０００４】
また、この固定時には、ベース部材を、支持部材の中空部の中心軸が鉛直方向となるように配置することで、支柱の中心軸が鉛直方向となり且つ壁に対し略平行となるように、支柱をしっかりと支持することができるようになる。
【先行技術文献】
【特許文献】
【０００５】
【特許文献１】実開平２−６０３０４号公報
【特許文献２】実開平５−６６１２９号公報
【発明の概要】
【発明が解決しようとする課題】
【０００６】
ところで、ベース部材の板面は、通常、矩形形状であり、壁に固定するためのねじ孔は、その板面の上下左右の角部４カ所に設けられている。
このため、従来の取り付け金具は、壁に固定する際、ベース部材の一つのねじ孔にねじを通して取り付け金具を壁に仮止めした後、そのねじを中心として回動させることでベース部材の傾きを調整し、他のねじ孔にねじを通して位置決めする必要があった。
【０００７】
従って、取り付け金具の取り付け作業者は、取り付け金具を位置決めするまでの間、取り付け金具を片手で保持し、もう一方の手でねじ締め作業を行わなければならず、その間の作業が極めて面倒であるという問題があった。
【０００８】
一方、特許文献２に記載の取り付け金具は、壁に固定する際の作業性を改善するために、ベース部材に、固定用のねじ孔とは別に釘受け用筒を設け、釘受け用筒に入れた釘を打ち付けることで、取り付け金具を仮止めできるようにされている。
【０００９】
しかし、釘受け用筒は、ベース部材の板面で支持部材及び連結部材の配置位置から外れた位置に設けられることから、釘受け用筒を使って取り付け金具を壁に仮止めした際には、支持部材の中心軸は鉛直方向とならず、左又は右方向に傾いてしまう。
【００１０】
このため、釘受け用筒を利用して取り付け金具を壁に仮止めしても、取り付け金具をねじで固定する際には、支持部材の中心軸が鉛直方向となるように、ベース部材を釘周りに回転させて、位置決めする必要がある。従って、引用文献２に記載のものでは、取り付け金具の固定時の作業性を充分改善することはできない。
【００１１】
また、ベース部材に釘受け用筒を設けるには、ベース部材に釘受け用筒の内径と略同じ孔を設けて、釘受け用筒を溶接等で固定する必要があり、ベース部材の構成が複雑でコストアップになるという問題もある。
【００１２】
本開示の一局面は、ベース部材に釘受け用筒を設けることなく、取り付け金具を取り付け対象となる壁に取り付ける際の作業性をより一層改善できるようにすることを目的とする。
【課題を解決するための手段】
【００１３】
本開示の一局面の取り付け金具は、支柱を壁に取り付けるためのものであり、支柱を挿入可能な中空部を有する支持部材と、壁に固定するためのねじ孔を有する板状のベース部材と、連結部材とを備える。
【００１４】
連結部材は、支持部材の中空部の中心軸と、ベース部材の板面とが平行になるよう、支持部材とベース部材とを連結するためのものである。
ベース部材の板面には、ねじ孔として、中空部の中心軸に平行で当該板面を２分する分割中心軸を挟んで設けられた複数対の固定用ねじ孔と、当該板面の分割中心軸上で当該分割中心軸の中心位置から偏心した位置に設けられた仮止め用ねじ孔とが設けられている。
【００１５】
このため、取り付け対象となる壁の所望の位置に、仮止め用ねじ孔に挿通可能な仮止め用の部材（ねじ若しくは釘）を設け、その後、その部材を仮止め用ねじ孔に通すようにベース部材を壁に当接することで、取り付け金具を壁に仮止めすることができる。
【００１６】
また、仮止め用ねじ孔は、ベース部材の板面の分割中心軸上で、分割中心軸の中心位置から偏心した位置に設けられている。
このため、取り付け金具を仮止めする際に、仮止め用ねじ孔がベース部材の板面の中心よりも上方に位置するように配置すれば、取り付け金具は、自重で分割中心軸が略鉛直方向となるように配置されることになる。
【００１７】
従って、使用者は、取り付け金具を壁に仮止めした際に、取り付け金具を手で支えることなく、支持部材の中空部の中心軸が鉛直方向となるように、取り付け金具を簡単に位置決めすることができる。
【００１８】
また、使用者は、取り付け金具の位置決め後、固定用ねじ孔にねじを通して、取り付け金具を壁に固定する作業を、両手で行うことができるようになり、取り付け金具を所望の姿勢でしっかりと固定することができる。
【００１９】
よって、本開示の取り付け金具によれば、取り付け対象となる壁への取り付け作業を極めて簡単に行うことができ、従来のものに比べて、取り付け時の作業性を改善できる。
ここで、連結部材は、特許文献１に記載のように、支持部材及びベース部材とは別体に構成され、これら各部材にねじで固定するようになっていてもよく、或いは、特許文献２に記載のように、支持部材及びベース部材に溶接等で一体的に組み付けられていてもよい。
【００２０】
また、連結部材は、中空筒状の管形状で、ベース部材に対し、管の中心軸が分割中心軸上に位置し且つベース部材の板面と直交するように設けられていてもよい。この場合、仮止め用ねじ孔は、ベース部材において、連結部材の中空部に対応する位置に設けられていてもよい。
【００２１】
このようにすれば、取り付け金具を壁に仮止め（換言すれば位置決め）するために、仮止め用ねじ孔に仮止め用部材（ねじ、釘等）を挿通しても、その仮止め用部材が連結部材で覆われ、外から見えないようになる。
【００２２】
このため、取り付け金具を壁に固定した後、仮止め用部材が目立つことのないよう、螺合若しくは打ち込みによって仮止め用部材を壁に埋め込む必要が無く、より簡単な作業で取り付け金具を見栄えよく固定することができる。
【００２３】
次に、仮止め用ねじ孔の形状は、円形であっても、矩形であってもよいが、矩形にする場合には、ねじ孔の複数の角部の内、ベース部材の板面で分割中心軸の中心位置から離れた側の角部が、分割中心軸上に位置するようにすることが望ましい。
【００２４】
このようにすれば、壁に固定された仮止め用部材（ねじ若しくは釘）を仮止め用ねじ孔に挿通した際に、仮止め用部材が取り付け金具の自重で仮止め用ねじ孔の角部に当接されることになり、取り付け金具の傾きを簡単に調整することができる。
【００２５】
また、仮止め用ねじ孔の形状は、分割中心軸の中心位置から離れた方が小径で分割中心軸の中心位置に近い方が大径となるように、２つの孔を連結しただるま孔形状であってもよい。
【００２６】
そして、仮止め用ねじ孔をだるま孔にすれば、取り付け金具を壁に仮止めした際に、仮止め用部材（ねじ若しくは釘）の頭部をだるま孔の小径部分に係合させることで、取り付け金具が壁から落下するのを防止できる。
【００２７】
一方、支持部材には、中空部の中心軸方向両端側の少なくとも一方に、支柱を支持する支持片を挿通するための挿通孔が設けられていてもよい。
この挿通孔は、支持部材において、中空部を挟んで互いに対向する側壁を貫通するように設けられるものであり、その挿通孔に支持片を挿通することで、中空部内で支柱の一端が支持片に当接されて、支柱が位置決めされることになる。
【００２８】
従って、取り付け金具を壁に固定し、支持部材の挿通孔に支持片を挿通した状態で、支持部材の中空部内に上方から支柱を挿通することで、支柱を支持部材の中空部内に簡単に位置決めできることになり、支柱設置時の作業性を向上できる。
【００２９】
なお、支持部材の挿通孔は、取り付け金具を壁に固定した際、支持部材の下方で支持片を挿通できるようにするとよく、このためには、支持部材の中空部の中心軸方向両端側にそれぞれ挿通孔を設けるようにしてもよい。
【００３０】
また、取り付け金具固定時の支持部材の向きが決められている場合には、支持部材の中空部の中心軸方向両端のうち、下方に配置される側に、挿通孔を設けるようにしてもよい。
【００３１】
一方、この挿通孔に挿通される支持片は、挿通孔を介して支持部材に貫通される本体部と、本体部から支持部材の外側に延出されて、支柱に取り付けられた機器に接続されるケーブルを挟持するための挟持部と、を備えていてもよい。
【００３２】
このようにすれば、アンテナ等、支柱に取り付けられた機器から引き出されたケーブルを、支持片の挟持部を介して、取り付け金具に固定することができるようになり、そのケーブルを固定する際の作業性を向上できる。
【図面の簡単な説明】
【００３３】
【図１】実施形態の取り付け金具の構成を表す説明図であり、図１Ａは取り付け金具を壁への当接面と直交する方向から見た状態を表す正面図、図１Ｂは取り付け金具をその当接面側から見た状態を表す側面図、図１Ｃは図１Ａに示した取り付け金具を上方から見た状態を表す平面図である。
【図２】実施形態の取り付け金具を壁への当接面とは反対側からみた斜視図である。
【図３】実施形態の取り付け金具に設けられる支持片の構成例を表す説明図である。
【発明を実施するための形態】
【００３４】
以下に本発明の実施形態を図面と共に説明する。
本実施形態の取り付け金具２は、アンテナ、アンテナからの受信信号を増幅する増幅器（所謂ブースター）、複数のアンテナからの受信信号を混合する混合器等が取り付けられる支柱（所謂マスト）を、建造物等の壁に固定するためのものである。
【００３５】
このため、取り付け金具２は、図１、図２に示すように、支柱４（図３参照）を挿入可能な中空部１２を有するパイプ状の支持部材１０と、壁に固定するための固定用ねじ孔２２を有する板状のベース部材２０と、連結部材３０とを備える。
【００３６】
なお、以下の説明では、支持部材１０の中空部１２に支柱４が挿入されることにより、支柱４が支持部材１０から突出される側を上方といい、その反対側を下方という。
連結部材３０は、支持部材１０の中空部１２の中心軸１０Ａと、ベース部材２０の板面とが平行になるよう、支持部材１０とベース部材２０とを連結するためのものであり、本実施形態では、これら各部材１０、２０に溶接にて接合されている。
【００３７】
ベース部材２０において、固定用ねじ孔２２は、支持部材１０の中空部１２の中心軸１０Ａに平行でベース部材２０の板面を２分する分割中心軸２０Ａを挟んで、当該板面の上方及び下方にそれぞれ１対設けられている。なお、本実施形態では、ベース部材２０は矩形形状であり、固定用ねじ孔２２は、ベース部材２０の板面の上下左右の４つの角部に設けられている。
【００３８】
また、ベース部材２０には、分割中心軸２０Ａ上で、分割中心軸２０Ａの中心位置（換言すればベース部材２０の板面の中心位置）２０Ｂから上方に偏心した２箇所に、仮止め用ねじ孔２４が設けられている。
【００３９】
仮止め用ねじ孔２４の形状は、分割中心軸２０Ａの中心位置２０Ｂから離れた方が小径で分割中心軸２０Ａの中心位置２０Ｂに近い方が大径となるように２つの孔を連結しただるま孔形状である。つまり、仮止め用ねじ孔２４は所謂だるま孔である。
【００４０】
また、連結部材３０は、中空筒状の管形状（換言すれば、支持部材１０と同じパイプ形状）であり、ベース部材２０に対し、管の中心軸３０Ａがベース部材２０の板面と直交し、且つ、ベース部材２０の板面の分割中心軸２０Ａ上に位置するように、配置されている。
【００４１】
また、連結部材３０は、ベース部材２０の板面の分割中心軸２０Ａ上の上下２箇所で支持部材１０を支持できるように、ベース部材２０の板面で分割中心軸２０Ａの中心位置２０Ｂから上方及び下方に偏心した上下２箇所に配置されている。
【００４２】
そして、２つの連結部材３０の両端は、それぞれ、溶接にて、ベース部材２０及び支持部材１０に接合されている。つまり、支持部材１０は、一対の連結部材３０を介して、ベース部材２０に一体的に組み付けられている。
【００４３】
このように上記各部材が溶接にて一体化された取り付け金具２は、腐食防止のために金属メッキが施されており、ベース部材２０及び支持部材１０において、連結部材３０が接合される部分には、連結部材３０の中空部の内径よりも小さい孔が設けられている。
【００４４】
この孔は、取り付け金具２をメッキ液に浸してメッキを施す際にメッキ液を通すための孔である。そして、ベース部材２０の板面の上方に配置される連結部材３０のベース部材２０への溶接部分に設けられる孔は、だるま孔となっており、上述した仮止め用ねじ孔２４の一つを構成している。なお、もう一つの仮止め用ねじ孔２４を構成するだるま孔は、連結部材３０の中空部に形成されるだるま孔よりも下方に設けられている。
【００４５】
次に、支持部材１０において、上下一対の連結部材３０が接合される部分と対向する側壁部分には、それぞれ、ボルト１４を螺入するためのボルト用ねじ孔１５が設けられている。
【００４６】
ボルト用ねじ孔１５は、支持部材１０の外からボルト１４を螺入することで、ボルト１４の先端部分を中空部１２に挿入された支柱４に当接させ、更にボルト１４を締め付けることで、支柱４を支持部材１０にしっかりと固定できるようにするためのものである。
【００４７】
また、支持部材１０において、中空部の中心軸１０Ａ方向の一端側、詳しくは、下方の連結部材３０よりも更に下方の一端側には、中空部１２の中心軸１０Ａを挟んで互いに対向する側壁を貫通するように一対の挿通孔１６が設けられている。
【００４８】
この一対の挿通孔１６は、支持部材１０の中空部１２内で支柱４を支持する支持片４０を通すためのものであり、連結部材３０の中心軸３０Ａと直交する方向に支持部材１０を貫通するよう設けられている。
【００４９】
従って、この一対の挿通孔１６に支持片４０を挿通しておけば、支持部材１０の中空部１２に支柱４を挿入した際、支柱４の下方端部が支持片４０に当接されて、支柱４が中空部１２内で位置決めされ、支柱４が中空部１２から抜け落ちるのを防止できる。
【００５０】
以上説明したように、本実施形態の取り付け金具２においては、ベース部材２０の板面を左右に分割する分割中心軸２０Ａ上で、その中心位置２０Ｂよりも上方に、２つの仮止め用ねじ孔２４が設けられている。
【００５１】
このため、取り付け金具２を壁に取り付ける際には、図２に示すように、まず、その壁の所望の位置に、仮止め用ねじ孔２４に挿通可能な仮止め用のねじ５０を固定しておく。なお、このとき、ねじ５０の頭部は、ベース部材２０の板厚以上壁面から離す。
【００５２】
次に、取り付け金具２を壁に近づけ、仮止め用ねじ孔２４の一方（図では下方に設けられた仮止め用ねじ孔２４）にねじ５０を通して、ベース部材２０を壁に当接させる。
仮止め用ねじ孔２４は、上方の径が小さいだるま孔にて構成されているので、使用者は、ベース部材２０を壁に当接させた後、取り付け金具２を下方に移動させるか、或いは、取り付け金具２から手を離せば、ねじ５０の本体部分がだるま孔の小径部分に入ることになる。
【００５３】
また、仮止め用ねじ孔２４は、ベース部材２０の板面の分割中心軸２０Ａ上でその中心位置２０Ｂよりも上方に設けられているので、この状態で使用者が取り付け金具２から手を離しても、取り付け金具２がねじ５０を中心として回転することはない。
【００５４】
また、この状態では、ねじ５０の頭部が、仮止め用ねじ孔２４の周囲でベース部材２０の板面に係合されるので、取り付け金具２が壁から落下することはなく、取り付け金具２は、自重で、分割中心軸２０Ａが略鉛直方向となる正規の姿勢に保持される。
【００５５】
なお、取り付け金具２は、ベース部材２０が壁に接することで、正規の姿勢から少し傾いた状態になることがあるが、使用者は、その傾きを片手で簡単に修正することができる。
【００５６】
このように、仮止め用ねじ孔２４に仮止め用のねじ５０を通すことで、取り付け金具２を壁に仮止めした後は、使用者は、ベース部材２０の４つの固定用ねじ孔２２にねじ５２を通し、壁に螺入することで、取り付け金具２をしっかりと壁に固定することができる。
【００５７】
また、この固定時には、使用者は、最初から両手を使えることになるので、取り付け金具２の壁への取り付け作業を極めて簡単に行うことができ、従来のものに比べて、取り付け時の作業性を改善できる。
【００５８】
また、本実施形態の取り付け金具２において、ベース部材２０には、上下２カ所に仮止め用ねじ孔２４が設けられているため、この２つの仮止め用ねじ孔２４のうちのいずれを利用しても、取り付け金具２を壁に仮止めすることができる。
【００５９】
そして、図２に示すように、２つの仮止め用ねじ孔２４のうち、下方の仮止め用ねじ孔２４を使って取り付け金具２を壁に仮止めした際には、ねじ５２を使って取り付け金具２を壁に固定すると、仮止め用ねじ孔２４に挿通されたねじ５０の頭部が浮いてしまう。
【００６０】
このため、取り付け金具２を壁に見栄えよく固定するには、最後にねじ５０を壁に螺入する必要があり、この作業が多少面倒になるが、この場合、取り付け金具２を壁に固定するねじの数を１本増加することができるので、取り付け金具２をより強固に固定できることになる。
【００６１】
一方、この最後の作業を実施することなく、取り付け金具２を壁に見栄えよく固定するには、２つの仮止め用ねじ孔２４のうち、連結部材３０に隠れた上方の仮止め用ねじ孔２４を使って、取り付け金具２を壁に仮止めするようにすればよい。
【００６２】
つまり、このようにすれば、ねじ５２を使って取り付け金具２を壁に固定した際に、仮止め用ねじ孔２４に挿通されたねじ５０の頭部が浮いていても、その状態が外から見えることはないので、壁に固定された取り付け金具２の見栄えが悪くなるのを防止できる。
【００６３】
なお、本実施形態では、ベース部材２０の板面の中心位置２０Ｂよりも上方に２つの仮止め用ねじ孔２４を設けているが、この仮止め用ねじ孔２４は一つであってもよい。
次に、上記のように壁に固定された取り付け金具２には、支持部材１０の中空部１２に支柱４が挿通されることになる。
【００６４】
そして、その支柱４の挿通前に、支持部材１０に設けられた一対の挿通孔１６を使って中空部１２内に支持片４０を貫通させておくことで、挿通された支柱４を中空部１２内で位置決めして、支柱４が中空部１２から抜け落ちるのを防止できる。
【００６５】
また、このように支柱４を支持部材１０の中空部１２に挿通した後は、ボルト１４を使って支柱４を中空部１２内に締め付けることで、支柱４は支持部材１０（延いては取り付け金具２）にしっかりと固定されることになる。
【００６６】
以上、本発明を実施するための形態について説明したが、本発明は上述の実施形態に限定されることなく、種々変形して実施することができる。
例えば、支持片４０は、支持部材１０に設けられた挿通孔１６に挿通することにより、支持部材１０の中空部１２内に設けられるが、図２に示すように、単に板状に形成すると、挿通孔１６への挿通後、挿通孔１６から抜け落ちることが考えられる。
【００６７】
このため、支持片４０は、図３Ａに示すように、支持部材１０への取り付け後、支持部材１０の外に突出される端部４１、４２を屈曲させて、支持片４０が挿通孔１６から抜け落ちることのないようにするとよい。
【００６８】
またこの場合、支持部材１０の両端部４１、４２のうち、一方の端部４１は、予め屈曲されていてもよい。
また、支持片４０は、図３Ｂ、図３Ｃに示すように、一方の端部４１に、支柱４に取り付けられたアンテナ等の機器に接続されるケーブル６０を挟持するための挟持部４４、４６を設けるようにしてもよい。
【００６９】
図３Ｂに示す挟持部４４は、支持片４０の端部４１を支持部材１０から延出して、支持部材１０の外壁に沿って下方に屈曲させ、その屈曲させた下方でＵ字を呈するように上方に湾曲させ、その上方端部をＵ字の内側を閉塞するように折り曲げた形状になっている。このため、この挟持部４４は、Ｕ字の上方の開口部からケーブル６０を入れることで、ケーブル６０を挟持させることができる。
【００７０】
また、図３Ｃに示す挟持部４６は、支持片４０の端部４１を、ケーブル６０を挟持可能な長さ分だけ、支持部材１０の外側に真っ直ぐ延出させて、上方に屈曲させた形状になっている。このため、この挟持部４６は、支持部材１０の外壁との間でケーブル６０を挟持できるようになる。
【００７１】
なお、図３Ａ〜図３Ｃに示す支持片４０は、支持部材１０に挿通孔１６が設けられた取り付け金具であれば使用でき、例えば、ベース部材２０に仮止め用ねじ孔２４が設けられていない従来の取り付け金具であっても、使用することができる。
【００７２】
そして、特に、挿通孔１６に挿通する支持片４０として、図３Ｂ、図３Ｃに示すような挟持部４４、４６を備えたものを使用すれば、挟持部４４、４６を利用してケーブル６０を固定することができるので、ケーブル固定時の作業性を向上できる。
【００７３】
つまり、取り付け金具は、支柱４に取り付けられたアンテナ等の機器に接続されるケーブル６０を固定できるようになっていないので、ケーブル６０を固定するには、ケーブル固定具を別途設けるか、或いは、粘着テープを利用する必要がある。
【００７４】
しかし、上記のように支持片１６の本体部に対し、ケーブルを挟持するための挟持部４４、４６を設けるようにすれば、支持片１６だけで支柱４の位置決めとケーブル６０の固定を行うことができることから、支柱及びケーブルの固定作業を極めて簡単に行うことができる。また、その固定のための部品点数を少なくすることができる。
【００７５】
次に、上記実施形態では、ベース部材２０の板面の中心位置２０Ｂよりも上方に仮止め用ねじ孔２４を設け、支持部材１０の下方端部に支持片４０を挿通するための挿通孔１６を設けるものとして説明した。
【００７６】
しかし、仮止め用ねじ孔２４及び挿通孔１６は、それぞれ、ベース部材２０及び支持部材１０において、これら各部材の中心位置を挟んで上下に設けるようにしてもよい。このようにすれば、取り付け金具２は、支持部材１０の中空部１２の両端のいずれを上方に配置しても、上記実施形態と同様に壁に固定し、支柱４を支持することができるようになる。
【００７７】
なお、この場合、仮止め用ねじ孔２４を構成するだるま孔は、ベース部材２０の中心位置２０Ｂに近い側が大径となり、中心位置２０Ｂから離れた側が小径となるように構成するとよい。
【００７８】
また、仮止め用ねじ孔２４は、必ずしもだるま孔にする必要はなく、円形であっても、矩形であってもよい。
但し、矩形にする場合には、仮止め用ねじ孔２４を構成する複数の角部の内、ベース部材２０の板面で分割中心軸２０Ａの中心位置２０Ｂから離れた側の角部が、分割中心軸２０Ａ上に位置するように構成するとよい。
【００７９】
このようにすれば、壁に固定された仮止め用部材（ねじ若しくは釘）を仮止め用ねじ孔２４に挿通した際に、仮止め用部材の本体部分が取り付け金具２の自重で仮止め用ねじ孔２４の角部に当接されることになり、取り付け金具２の傾きを簡単に調整することができる。
【００８０】
また、上記実施形態では、連結部材３０は、支持部材１０及びベース部材２０に対し溶接にて一体的に組み付けられているものとして説明したが、これら各部材は別体に構成され、ねじ等で着脱自在に連結するように構成されていてもよい。
【００８１】
また、上記実施形態では、ベース部材２０の板面には、固定用ねじ孔２２が、分割中心軸２Ａを挟んで、ベース部材２０の上方及び下方にそれぞれ一対設けられるものとして説明した。しかし、固定用ねじ孔２２は、分割中心軸２Ａを挟んで一対以上設けられていればよく、その数は、適宜設定すればよい。
【００８２】
また、上記実施形態では、連結部材３０はパイプ形状であり、支持部材１０とベース部材２０とは２本の連結部材３０を使って連結されるものとして説明したが、連結部材３０は、例えば、板状であっても棒状であってもよい。つまり、連結部材３０は、支持部材１０とベース部材２０とを連結できればよく、その形状は任意に設定すればよい。
【００８３】
また、上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【００８４】
２…取り付け金具、４…支柱、１０…支持部材、１０Ａ…中心軸、１２…中空部、１４…ボルト、１５…ボルト用ねじ孔、１６…挿通孔、２０…ベース部材、２０Ａ…分割中心軸、２０Ｂ…中心位置、２２…固定用ねじ孔、２４…仮止め用ねじ孔、３０…連結部材、３０Ａ…中心軸、４０…支持片、４４…挟持部、４６…挟持部、５０，５２…ねじ、６０…ケーブル。
【図１】
2018007021.tif 000003
【図２】
2018007021.tif 000004
【図３】
2018007021.tif 000005